(57)【要約】      （修正有）【課題】円柱状に固定され自立し、自立した状態で中に光源を封入した際に表面、及び裏面に印刷された所望の模様又は文字列が浮き出る封筒用紙を提供する。【解決手段】封筒本体１の内側上部に接着された蓋部４を有し、封筒本体に上冠部２と下冠部３が収納され、封筒本体の口を広げた状態で蓋部及び上冠部、下冠部により封筒本体を円柱状に維持するものであって、光源により封筒本体の内側に印刷された絵柄が浮き上がる。蓋部は、封筒本体よりも厚い紙質で構成され、展開時に円柱状に固定され、地表面と平行になる。【選択図】図１
0003231154.tif 000002
【実用新案登録請求の範囲】
【請求項１】
規格用紙の上部長辺の中央部に、規格用紙の長辺を円周とする蓋部と接着し、規格用紙を組み立てた後、蓋部を配置することで規格用紙を円柱状に固定し、付属する規格用紙の長辺を円周とする枠部を装着することで自立することができることを特徴とする封筒ランタン。
【請求項２】
上記蓋部は、規格用紙よりも厚い紙質で構成され、展開時に円柱状に固定され、地表面と平行になることを特徴とする請求項１の封筒ランタン。
【請求項３】
上記蓋部の接着面の短辺は、規格用紙の封筒綴じ部の短辺と同じ長さであり、かつ組み立て時に接着面と封筒綴じ部が平行となることを特徴とする請求項１または請求項２の封筒ランタン。
【請求項４】
上記枠部は規格用紙よりも厚い紙質で構成され、装着時に円柱状に自立し、地表面と平行になることを特徴とする請求項１から請求項３記載の封筒ランタン。
【請求項５】
上記枠部には二箇所に突起を設け、装着の際安定させることを特徴とする請求項１から請求項４記載の封筒ランタン。
【請求項６】
上記規格用紙の表面、又は／及び、裏面に、所望の模様又は文字列を印刷したことを特徴とする請求項１から請求項５のいずれか１項記載の封筒ランタン。
【請求項７】
上記規格用紙の裏面に、所望の模様又は文字列を印刷し、裏面に光源を配置することで印刷された模様又は文字列が浮かび上がることを特徴とする請求項１から請求項６のいずれか１項記載の封筒ランタン。
【請求項８】
上記規格用紙が、Ａ４又はＢ５の大きさであることを特徴とする請求項１から請求項７のいずれか１項記載の封筒ランタン。
【請求項９】
上記規格用紙の紙質については凡そ上質紙８１．４ｇ／ｍ２以上であり、普通紙・特殊紙を問わないことを特徴とする請求項１から請求項７のいずれか１項記載の封筒ランタン。
【考案の詳細な説明】
【技術分野】
【０００１】  この考案は、手紙等を差し出す際、または資料等を封入する際に使用する一般的な封筒に、簡易手順に則った組み立て工程を施し、組み立て後の円柱内部に光源を封入することで、中に印字された所望の模様又は文字列が浮き出てくるという性質を持つことから、従来にない封筒の新たな価値を生み出し、様々な状況において利用可能とある封筒ランタンに関する。
【背景技術】
【０００２】  従来の封筒では表面に所望の模様又は文字列が施されてきた。一方、近年の印刷業界における製品の付加価値の創造が急務となり、これに応答する形でイベントなどでも利用できる製品として開発を行った。【０００３】  封筒が、郵送時、封入時の入れ物としての価値だけにとどまっていたが、近年の廃棄物の削減という観点から、使用後に廃棄されてしまう封筒に新たな価値を見出し、使用後も再利用できる方法が必要であった。【０００４】  ランタンは、東南アジアを発祥として、国内においても長崎で毎年２月に行われる「長崎ランタンフェスティバル」などから、一般消費者への知名度が向上している。【０００５】  そのような中、例えば特許文献１に示すような封筒に付加価値をつけた製品が提案されている。【０００６】
【特許文献１】実用新案登録第３１４３４２４号  公報
【考案の概要】
【考案が解決しようとする課題】
【０００７】  特許文献１に記載された飛び出す封筒セットは、扁平な箱状の封筒の内部に、本来は立体状の被収納物を、ゴムばねを伸張して平面的形状として収納し、封筒を開いたときに、ゴムばねが元に戻ることによって被収納物が立体状に戻って外に飛び出る仕組みであるが、それに加え、光源により模様が浮き出ることで、半永続的な価値を創出することができる。【０００８】  封筒は郵送する際のみならず、様々な資料を封入する用途でも多く使われている。例えば、結婚式の席次表や料理のメニュー、新郎新婦からのメッセージなどを封筒に入れておき、その封筒が演出の一環としても機能し、さらに参列者へのギフトとして、一つ一つが参列者に沿ったオリジナルのデザインで提供することができれば、封筒のさらなる利用用途と価値を出すことができる。【０００９】  従来の市販のランタンでは、光源も含めて和紙や木材を利用することで高級感を演出し、屋内における間接照明や、インテリアとして利用されているが、オリジナルデザインで作成する際にはコストがかかる。
このような点に鑑み、本考案は、イベントや演出の用途に利用できる簡易組み立てが可能な封筒ランタンを提供することを課題とする。
【課題を解決するための手段】
【００１０】  前記の目的を達成するために、本考案の封筒ランタンは、規格用紙の上部長辺の中央部に、規格用紙の長辺を円周とする蓋部と接着し、規格用紙を組み立てた後、蓋部を配置することで規格用紙を円柱状に固定し、付属する規格用紙の長辺を円周とする枠部を装着することで自立することができることを特徴とする。
これにより、インテリアとしても機能し付加価値を持つ封筒を提供できる。【００１１】  前記封筒ランタンの上蓋部は、規格用紙よりも厚い紙質で構成し、上記蓋部の接着面の短辺は、規格用紙の封筒綴じ部の短辺と同じ長さであり、かつ組み立て時に接着面と封筒綴じ部が平行となる。これにより、封筒は円柱状に固定され、ランタン展開時の見栄えが良くなる。【００１２】  前記封筒ランタンの枠部は、規格用紙よりも厚い紙質で構成し、上記枠部には二箇所に突起を設け、封筒の上部、下部に簡易に取り付けられるようにする。
これにより、封筒は安定して自立し、さらに光源封入時に内側に印刷された任意の模様および文字列の見栄えが良くなる。【００１３】  前記封筒ランタンの表面、又は／及び、裏面に、任意の模様又は文字列を印刷するが、光源封入時に模様がより綺麗に浮き出ることから、ＵＶのオンデマンドプリンターを用いる。印刷の際にオンデマンドプリンターを用いることで１枚１枚が可変データでの印刷が可能である。
これにより、１つ１つの封筒ランタンの模様又は文字列を変えることができ、シチュエーションに応じた使用が可能であるほか、郵送の際の住所印字などにも対応が可能になる。【００１４】  前記封筒ランタンは、未使用時には畳んで収納が可能になることから、従来のインテリアとしてのランタンと比較して、収納スペースの削減につなげることができる。
【考案の効果】
【００１５】  封筒ランタンは、アイデア次第で、いろいろな利用シチュエーションに応じて提供が可能になる。結婚式やキャンドルナイトをはじめとするイベントに利用するならば、その奇抜さ、面白さによって、参加者に強い印象を与えることができるほか、簡易的な組み立て手順により、参加者を巻き込むことが容易である。
【図面の簡単な説明】
【００１６】
【図１】（ａ）折り畳み時の封筒ランタンを正面から見た説明図である。（ｂ）組み立て時の封筒ランタンを正面から見た説明図である。
【図２】（ａ）折り畳み時の封筒ランタンを後ろから見た説明図である。（ｂ）組み立て時の封筒ランタンを後ろから見た説明図である。
【図３】折り畳み時の封筒ランタンを側面から見た説明図である。
【図４】（ａ）組み立て時の封筒ランタンを右側面から見た説明図である。（ｂ）組み立て時の封筒ランタンを左側面から見た説明図である。
【図５】外紙を反転させ、中紙を俯瞰した平面図である。
【図６】（ａ）封筒ランタン上部に取り付ける冠部の平面図である。（ｂ）封筒ランタン下部に取り付ける冠部の平面図である。
【図７】（ａ）図１から、上部の綴じ部を剥がした時の後ろから見た説明図である。（ｂ）図１から、下部の綴じ部を剥がした時の後ろから見た説明図である。
【図８】（ａ）図７から封筒本体を円柱状に広げたときの説明図である。（ｂ）綴じ部を封筒内部に折り返したときの説明図である。
【図９】（ａ）図８から、図６の冠部を取り付けるときの説明図である。（ｂ）冠部を取り付けたときの説明図である。
【図１０】（ａ）図９から封筒内部の蓋部を持ち上げるときの説明図である。（ｂ）封筒内部の蓋部を持ち上げて固定したときの説明図である。
【図１１】（ａ）蓋部を上部から見た平面図である。（ｂ）蓋部の接続部を折り返して上部から見た説明図である。
【図１２】（ａ）冠部上部の組み立てた説明図である。（ｂ）冠部下部の組み立てた説明図である。
【図１３】絵柄を印刷したときの説明図である。
【考案を実施するための形態】
【００１７】  図面を参照して本考案を実施するための形態につき説明する。
【実施例】
【００１８】図１は封筒ランタンの折り畳み時（ａ）、組み立て時（ｂ）を正面から見た状態を示し、折り畳み時（ａ）は任意の事項例えば宛先や宣伝文言などを印字若しくは手書きすることができる。組み立て時（ｂ）は内部に取り付けられた蓋部４を引き上げ、上冠部２と下冠部５をはめることで円柱状が固定できる。【００１９】図２は封筒ランタンの折り畳み時（ａ）、組み立て時（ｂ）を背面から見た状態を示し、折り畳み時（ａ）は上綴じ部５と下綴じ部６を糊付けすることで封緘できる。組み立て時（ｂ）はライトの上に被せることで中に描かれている絵柄９が浮き出るようになる。【００２０】図３は封筒ランタンの折り畳み時を側面から見た状態を示したものである。蓋部４は中紙背面に接着させる。【００２１】図４は封筒ランタンの組み立て時を右側面（ａ）、左側面（ｂ）から見た状態を示したもので、上冠部２にフラップ２ａが形成されることにより、上冠部２と蓋部４が下に落ちないよう固定される。【００２２】図５は本体１を開いて反転した状態を示したもので、折り線７を境に谷折りされるものであり、本体１は左右一体状である。また左右の半体１ａの側縁には糊層８、上綴じ部５、下綴じ部６が設けられており、半体１ｂの上部中央に蓋部４を接着させる。上部に蓋部４を設けることにより円柱状がより綺麗に形成される。また半体１ｂには後述する絵柄９などが印字される。内側に印字することで外側からみると無地の封筒であるが、光を当てることにより内側が透け印字された絵柄９が見えるようになる。【００２３】図６（ａ）は上冠部２を開いて反転した状態を示したもので、上冠部糊層２ｃと端を接着することで円柱上に形成される。またフラップ２ａを上冠部２の上部に２か所設けており、折り曲げることで外紙１と蓋部４の固定をする。
図６（ｂ）は下冠部３を開いて反転した状態を示したもので、下冠部糊層３ａと端を接着することで円柱状に形成される。【００２４】図７（ａ）は封筒ランタンを折り畳み、上綴じ部５、下綴じ部６が接着された状態を背面から示したものである。図７（ｂ）は本体１に上綴じ部５、下綴じ部６が接着されている状態のものから、上綴じ部５、下綴じ部６をはがした状態を示している。【００２５】図８（ａ）は図７の状態から上綴じ部５、下綴じ部６を持ち上げ本体１の口を開いた状態を示している。図８（ｂ）は上綴じ部５、下綴じ部６を本体１の内側に入れ込んだ状態を示している。【００２６】図９（ａ）は図８（ｂ）の状態の本体１に図６（ａ）、図６（ｂ）をはめ込む状態を示したものである。図９（ｂ）は図９（ａ）の状態からフラップ２ａを折り曲げ固定した状態を示している。【００２７】図１０（ａ）は図９（ｂ）の状態から蓋部４を引き上げた状態を示している。図１０（ｂ）は図１０（ａ）の状態から蓋部４が固定され封筒ランタンの組み立てが完成した状態である。【００２８】図１１（ａ）は蓋部４を平面からみた状態を示している。蓋糊層部４ａを図５の本体１ｂの上部に接着させる。蓋折り線４ｂを設けることで図１０（ａ）の時に引き上げやすくなる。【００２９】図１１（ｂ）は蓋折り線４ｂを折り曲げた状態の蓋部４を示している。蓋折り線４ｂを折り曲げることで封筒ランタンの円柱状が綺麗に形成される。【００３０】図１２（ａ）は上冠部２を組み立てた状態を示している。フラップ２ａを設けることで本体１、蓋部４を下に落ちないように固定し、封筒ランタンの円柱状が綺麗に形成される。フラップ２ａにフラップ折り線２ｂを設けることで蓋部４がしっかりと固定される。【００３１】図１２（ｂ）は下冠部３を組み立てた状態を示し、封筒ランタンの円柱状が綺麗に形成されるように固定できる。【００３２】図１３は封筒ランタンの絵柄９を印字した状態を示し、希望するイラストや写真などがプリントできる。デザインは固定ではなくニーズに合わせてデザインできるので個人のオリジナルのものから企業の広告宣伝などシチュエーションに応じて活用できる。実際に見るときは反転した状態であるため、左右非対称の物や文字はデザイン時に反転させて作る。内側に印字することで光を当てた時に初めて絵柄が現れる。【００３３】上記のように本考案によると、展開した本体１の内外面の左右にはプリンタ印字で宛名やオリジナルの絵柄、写真などシチュエーションに合わせて作ることができ、光を当てることで絵柄が現れるという印象に残るアプローチが出来る。上冠部２、下冠部３は折り畳むことで本体１に収納ができ、本体１も折り畳むことで収納スペースの場所を取らず必要な場面ですぐ使用できる。【００３４】    また本考案は様々な分野での使用が可能となるものであり、本考案の効果目的を奏する範囲におけるその他の変更事項も本考案の実施の範疇に属することと勿論である。【００３５】  本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性を持つものである。
【符号の説明】
【００３６】１      本体
１ａ    半体
１ｂ    半体
２      上冠部
２ａ    フラップ
２ｂ    フラップ折り線
２ｃ    上冠部糊層
３      下冠部
３ａ    下冠部糊層
４      蓋部
４ａ    蓋糊層
４ｂ    蓋折り線
５      上綴じ部
６      下綴じ部
７      折り線
８      糊層部
９      絵柄
【図１】
0003231154.tif 000003
【図２】
0003231154.tif 000004
【図３】
0003231154.tif 000005
【図４】
0003231154.tif 000006
【図５】
0003231154.tif 000007
【図６】
0003231154.tif 000008
【図７】
0003231154.tif 000009
【図８】
0003231154.tif 000010
【図９】
0003231154.tif 000011
【図１０】
0003231154.tif 000012
【図１１】
0003231154.tif 000013
【図１２】
0003231154.tif 000014
【図１３】
0003231154.tif 000015
【手続補正書】
【提出日】令和2年11月27日(2020.11.27)
【手続補正１】
【補正対象書類名】実用新案登録請求の範囲
【補正対象項目名】全文
【補正方法】変更
【補正の内容】
【実用新案登録請求の範囲】
【請求項１】
封筒本体の内側上部に接着された蓋部を有し、前記封筒本体に上冠部と下冠部が収納され、前記封筒本体の口を広げた状態で前記蓋部及び上冠部、下冠部により前記封筒本体を円柱状に維持するものであって、光源により前記封筒本体の内側に印刷された絵柄が浮き上がることを特徴とする封筒ランタン。
【請求項２】
上記蓋部は、封筒本体よりも厚い紙質で構成され、展開時に円柱状に固定され、地表面と平行になることを特徴とする請求項１に記載の封筒ランタン。
【請求項３】
上記蓋部の接着面の短辺は、封筒本体の封筒綴じ部の短辺と同じ長さであり、かつ組み立て時に接着面と封筒綴じ部が平行となることを特徴とする請求項１または請求項２に記載の封筒ランタン。
【請求項４】
上記冠部は封筒本体よりも厚い紙質で構成され、装着時に円柱状に自立し、地表面と平行になることを特徴とする請求項１から請求項３に記載の封筒ランタン。
【請求項５】
上記冠部には複数個に突起を設け、装着の際安定させることを特徴とする請求項１から請求項４に記載の封筒ランタン。
【請求項６】
上記封筒本体の表面、及び、裏面に、所望の模様又は文字列を印刷することを特徴とする請求項１から請求項５のいずれか１に記載の封筒ランタン。
【請求項７】
上記封筒本体の裏面に、所望の模様又は文字列を印刷し、裏面に光源を配置することで印刷された模様又は文字列が浮かび上がることを特徴とする請求項１から請求項６のいずれか１に記載の封筒ランタン。
【請求項８】
上記封筒本体が、Ａ４又はＢ５の大きさであることを特徴とする請求項１から請求項７のいずれか１に記載の封筒ランタン。
【請求項９】
上記封筒本体の紙質については凡そ上質紙８１．４ｇ／ｍ２以上であり、普通紙・特殊紙を問わないことを特徴とする請求項１から請求項７のいずれか１に記載の封筒ランタン。